(57)【特許請求の範囲】
【請求項１】
躯体に取り付けられる枠体に開閉自在に開き戸を配置し、これら枠体と開き戸との間に、当該開き戸が所定の開度以上に開くことを規制する規制部材を設け、この規制部材は、前記枠体に設けられ、前記開き戸を常時閉じる方向にばね付勢されたアームと、前記開き戸に設けられ、前記アームに形成されたピン案内部に案内されるピンと、このピンを前記ピン案内部に係合もしくは離脱させるように当該ピンを前記開き戸の框の見付け方向に沿って移動させ、前記開き戸の開度を規制するか否かを切り換える切換手段とを備え、
前記ピン案内部は、前記開き戸が閉じている場合に、前記切換手段により前記見付け方向に移動されたピンが当該ピン案内部に係脱される係脱部と、この係脱部に連なり前記開き戸の開閉動作に応じて前記ピンがスライドするスライド部と、このスライド部に連なり当該スライド部の延出方向と略直角方向に屈曲し、前記開き戸が所定の開度に開いた状態で、前記ピンを係止する係止部とを備えたことを特徴とする開口部装置。
【請求項２】
前記枠体もしくは前記開き戸の一方に、前記アームを前記略直角方向に回動させて、前記ピンを前記係止部から解除する解除部材を設けたことを特徴とする請求項１に記載の開口部装置。
【発明の詳細な説明】
【技術分野】
【０００１】
本発明は、枠体と開き戸との間に、この開き戸が所定の開度以上に開くことを規制する規制部材を備える開口部装置に関する。
【背景技術】
【０００２】
一般に、躯体に取り付けられる枠体に開閉自在に開き戸を配置し、これら枠体と開き戸との間に、当該開き戸が所定の開度以上に開くことを規制する規制部材を備える開口部装置が知られている（例えば、特許文献１参照）。この種の開口部装置では、規制部材は、枠体に設けられたアームと、開き戸に設けられ上記アームに形成された溝に係合するピンを備え、このピンが溝の終端で規制されることによって、開き戸が所定の開度以上に開くことが規制されている。
【特許文献１】特開２０００−３８８６６号公報
【発明の開示】
【発明が解決しようとする課題】
【０００３】
しかし、従来の構成では、開き戸が開く方向では溝の終端で規制されるものの、この開き戸が閉じる方向では溝とピンとの摩擦抵抗によって保持しているため、この摩擦抵抗を超えるような外力（例えば突風など）を開き戸が受けた場合には、この開き戸が勝手に閉じてしまうといった問題があった。これによれば、換気目的で開き戸を開けておいたものが勝手に閉じてしまい、換気が不十分となったり、この開き戸が突然閉じることによって、開き戸と枠体との間に手を挟んで怪我をする恐れがあるといった問題もある。
そこで、本発明の目的は、上述した従来の技術が有する課題を解消し、ピンを係止部に係止させることによって、開き戸を所定の開度に開いた状態で確実に保持できる開口部装置を提供することにある。
【課題を解決するための手段】
【０００４】
上記目的を達成するために、本発明は、躯体に取り付けられる枠体に開閉自在に開き戸を配置し、これら枠体と開き戸との間に、当該開き戸が所定の開度以上に開くことを規制する規制部材を設け、この規制部材は、前記枠体に設けられ、前記開き戸を常時閉じる方向にばね付勢されたアームと、前記開き戸に設けられ、前記アームに形成されたピン案内部に案内されるピンと、このピンを前記ピン案内部に係合もしくは離脱させるように当該ピンを前記開き戸の框の見付け方向に沿って移動させ、前記開き戸の開度を規制するか否かを切り換える切換手段とを備え、前記ピン案内部は、前記開き戸が閉じている場合に、前記切換手段により前記見付け方向に移動されたピンが当該ピン案内部に係脱される係脱部と、この係脱部に連なり前記開き戸の開閉動作に応じて前記ピンがスライドするスライド部と、このスライド部に連なり当該スライド部の延出方向と略直角方向に屈曲し、前記開き戸が所定の開度に開いた状態で、前記ピンを係止する係止部とを備えたことを特徴とする。
【０００５】
この構成によれば、ピンを係止部に係止させることによって、開き戸を所定の開度に開いた状態で保持することができるため、例えば、この開き戸が風を受けた場合に、この風力によって、当該開き戸が勝手に閉じてしまうことが防止され、この開き戸の開口を通じて換気を十分に行うことができる。
【０００６】
この場合において、前記枠体もしくは前記開き戸の一方に、前記アームを前記略直角方向に回動させて、前記ピンを前記係止部から解除する解除部材を設けた構成としても良い。
【発明の効果】
【０００７】
本発明では、ピンを係止部に係止させることによって、開き戸を所定の開度に開いた状態で保持することができ、例えば、この開き戸が風を受けた場合に、この風力によって、当該開き戸が勝手に閉じてしまうといった不具合を解消できる。
【発明を実施するための最良の形態】
【０００８】
以下、添付図面を参照して本発明の一実施の形態について説明する。
図１は、本実施形態にかかる縦すべりだし窓（開口部装置）を屋外側から見た斜視図である。この図１において、符号１０は縦すべりだし窓を示し、この縦すべりだし窓１０は、躯体の開口枠（不図示）に取り付けられる枠体１１と、この枠体１１に開閉自在に配置された窓体（開き戸）１２とを備える。枠体１１は、アルミニウム合金の押出形材からなる上枠１１ａ、下枠１１ｂ及び縦枠１１ｃ、１１ｄをそれぞれ四方枠組みして形成されている。また、窓体１２は、アルミニウム合金の押出形材からなる上框１２ａ、下框１２ｂ及び縦框１２ｃ、１２ｄをそれぞれ四方枠組みするとともに、これら各框で囲まれた空間にガラスパネル１３を配置して形成されている。また、縦すべりだし窓１０には、窓体１２を開閉操作するためのハンドルを有する開閉機構（不図示）が設けられ、この開閉機構はハンドル操作により、窓体１２の吊元側の縦框１２ｄを上下枠１１ａ、１１ｂの見付け方向に沿って摺動させつつ、当該窓体１２の戸先側の縦框１２ｃを屋外側に回動させて、当該窓体１２を開くように構成されている。
【０００９】
このような構成において、縦すべりだし窓１０は、枠体１１の縦枠１１ｃと窓体１２の戸先側縦框１２ｃとの間に、この窓体１２が所定の開度以上に開くことを規制する規制部材１４を備える。この規制部材１４は、ユーザの選択によって、窓体１２を全開に開放するか、この窓体１２を所定の開度に規制するかを切換可能となっており、図２に示すように、戸先側の縦枠１１ｃに取り付けられたアームユニット１５と、このアームユニット１５に係合可能なピン３１を有し、戸先側縦框１２ｃに取り付けられた切替ユニット１６とを備えて構成されている。本実施形態では、所定の開度とは、十分に換気可能な開度であって、窓体１２の開口から幼児等が転落することのない開度に設定されている。
【００１０】
アームユニット１５は、図３Ａ〜Ｃに示すように、上記縦枠１１ｃ（図２）に取り付けられるベース部材２１と、このベース部材２１に形成される支軸２２を中心に当該縦枠１１ｃの見込み方向に揺動自在に取り付けられたアーム２３とを備え、これら支軸２２とアーム２３との間には、このアーム２３の下端部２３ａが鉛直下方を向くように当該アーム２３を付勢するばね部材２４が配置されている。ベース部材２１は、支軸２２が形成されている基板部２１ａと、この基板部２１ａの一端に連なる側板部２１ｂと、この側板部２１ｂの上端及び下端に連なる上板部２１ｃ、下板部２１ｄとを備え、この下板部２１ｄには、図３Ｃに示すように、ばね部材２４によって付勢されたアーム２３の側面に当接する当接部２５が形成されている。
【００１１】
アーム２３には、図３Ｃに示すように、窓体１２（図２）の開度を規制する場合に、上記ピン３１（図２）が係合して案内される案内溝（ピン案内部）２６が形成されている。この案内溝２６は略Ｚ字状に形成されており、窓体１２が閉じている場合に、ピン３１が当該案内溝２６に係脱される係脱部２６ａと、この係脱部２６ａに連なり窓体１２の開閉動作に応じてピン３１がスライドするスライド部２６ｂと、このスライド部２６ｂに連なり窓体１２が所定の開度に開いた状態で、当該ピン３１を係止する係止部２６ｃとを備える。この係止部２６ｃは、スライド部２６ｂの延出方向と略直角上方向に屈曲するように形成されており、ピン３１が当該係止部２６ｃに係止されることによって、窓体１２を所定の開度に開いた状態で保持することが可能となる。また、アーム２３の上端には、窓体１２を所定の開度で保持した状態を解除する場合に、後述する解除部材が当接して作動する当接端２３ｂが形成されている。なお、本実施形態では、窓体１２を所定の開度に開いた状態でピン３１と係止部２６ｃとが確実に係止するように、アーム２３の下端部２３ａを窓体１２側に僅かに屈曲させている。
【００１２】
一方、切替ユニット１６は、窓体１２の開度を規制するか否かを切り替えるためのものであり、図２及び図４に示すように、縦框１２ｃの屋内側の面１２ｃ１に取り付けられた台座３２と、この台座３２に摺動可能に配置された切替スイッチ３３と、この切替スイッチ３３の先端部３３Ａに接続される上記ピン３１と、このピン３１を受けるピン受け部３４とを備える。このピン受け部３４は、図２に示すように、縦框１２ｃの戸先側の面１２ｃ２にねじで固定されている。本実施形態では、切替スイッチ３１を操作すると、この操作に伴いピン３１が縦框１２ｃの見付け方向に沿ってスライド移動することにより、このピン３１はアーム２３に形成された案内溝２６の係脱部２６ａに係合もしくは離脱することが可能となる。また、台座３２には、図４に示すように、この台座３２を縦框１２ｃに取り付けるためのねじ孔３５が形成され、このねじ孔３５を隠すべく、当該台座３２にキャップ部材３６が取り付けられている。
【００１３】
ピン３１は、ピン本体３１ａと、このピン本体３１ａの先端部に設けられたフランジ３１ｂとを備え、このフランジ３１ｂの径は、上記案内溝２６の係脱部２６ａの径よりも小さく、当該案内溝２６のスライド部ｂ及び係止部ｃの幅よりも大きくなるように構成されている。これにより、案内溝２６を案内されるピン３１は、係脱部２６ａで当該案内溝２６に係合すると、それ以外の部分では案内溝２６から離脱しないようになっている。
【００１４】
また、本実施形態では、縦すべりだし窓１０は、窓体１２が所定の開度で保持された場合に、この保持状態を解除して当該窓体１２を閉じるための解除部材４１を備える。この解除部材４１は、図２に示すように、縦枠１１ｃに延設された戸当たり１８の屋内側の面であって、アームユニット１５のアーム２３と当該縦枠１１ｃの見込み方向で重なる位置に取り付けられている。この解除部材４１は、図５Ａ、Ｂに示すように、上記戸当たり１８（図２）に取り付けられる本体４２と、この本体４２に上下方向に摺動自在に配置された操作部材４３と、これら本体４２と操作部材４３との間に配置され、この操作部材４３を上方向に付勢するばね部材４４とを備えて構成されている。
【００１５】
本体４２の略中央には開口４２Ａが形成され、この開口４２Ａを通じて操作部材４３の操作スイッチ４３Ａが屋内側に突出している。操作部材４３は、上記操作スイッチ４３Ａと、当該操作部材４３の上端から屋外側に突出するように形成された作動部４３Ｂとを備えて一体的に形成されている。この作動部４３Ｂは、ピン３１とアーム２３に形成された案内溝２６の係止部２６ｃとの係止状態を解除する場合、操作スイッチ４３Ａの操作に応じて下降することによって、アーム２３の当接端２３ｂに当接するようになっている。また、本体４２の上下端には、それぞれねじ孔４５が形成され、このねじ孔４５を隠すべく、当該本体３２にキャップ部材４６が取り付けられている。
【００１６】
次に、本実施形態の動作を説明する。
窓体１２を所定の開度以上に開かないように規制する場合には、窓体１２が閉じた状態で、図２に示す切替ユニット１６の切替スイッチ３３を縦枠１１ｃ側に移動させる。すると、この切替スイッチ３３に連結されたピン３１が縦枠１１ｃ側に突出し、図６Ａに示すように、このピン３１が案内溝２６の係脱部２６ａを通じて、当該案内溝２６に係合する。
【００１７】
続いて、この状態で窓体１２を開いていくと、図６Ｂに示すように、ピン３１は案内溝２６のスライド部２６ｂをスライドして移動する。この場合、アーム２３は支軸２２を中心に揺動する。更に窓体１２を開いて、この窓体１２が所定の開度まで開かれると、図６Ｃに示すように、ピン３１はスライド部２６ｂから係止部２６ｃに移行して、この係止部２６ｃに係止される。この場合、アーム２３には、支軸２２を中心に当該アーム２３の下端部２３ａを下げる方向にばね付勢されているため、このばね付勢された方向と反対の外力が加わらない限り、ピン３１がアーム２３の係止部２６ｃから外れることはなく、従って、窓体１２が風によって勝手に閉じられるといったことが防止される。
【００１８】
また、ピン３１と係止部２６ｃとの係止状態を解除して、窓体１２を閉じる場合には、図７に示すように、枠体１１ｃに設けた解除部材４１の操作スイッチ４３Ａを下方に押し下げる。すると、この操作スイッチ４３Ａと一体的に形成された作動部４３Ｂが、アーム２３の当接端２３ｂに当接し、この当接端２３ｂを押し下げる。これによれば、アーム２３は、ばね部材２４の付勢力に抗って、支軸２２を中心に回動し、図７に二点鎖線で示す位置に移動する。このため、ピン３１と係止部２６ｃとの係止状態が解除され、このピン３１はスライド部２６ｂに移動する。すると、ばね部材２４の付勢力よってアーム２３が元の位置に戻ろうとするため、窓体１２は、ゆっくりと確実に閉じられる。
【００１９】
本実施形態によれば、躯体に取り付けられる枠体１１に開閉自在に窓体１２を配置し、これら枠体１１と窓体１２との間に、当該窓体１２が所定の開度以上に開くことを規制する規制部材１４を設け、この規制部材１４は、戸先側の縦枠１１ｃに設けられたアーム２３と、窓体１２の戸先側の縦框１２ｃに設けられ、アーム２３に形成された案内溝２６に案内されるピン３１とを備え、案内溝２６は窓体１２が閉じている場合に、ピン３１が当該案内溝２６に係脱される係脱部２６ａと、この係脱部２６ａに連なり窓体１２の開閉動作に応じてピン３１がスライドするスライド部２６ｂと、このスライド部２６ｂに連なり当該スライド部２６ｂの延出方向と略直角上方向に屈曲し、窓体１２が所定の開度に開いた状態で、ピン３１を係止する係止部２６ｃとを備えたため、このピン３１を係止部２６ｃに係止されることにより、窓体１２を所定の開度に開いた状態で保持することができ、多少の風が吹いた場合であっても、この風によって窓体１２が勝手に閉じてしまうことを防止できる。
【００２０】
また、本実施形態によれば、枠体１１の縦框１１ｃに、アーム２３を略直角方向に回動させて、ピン３１を係止部２６ｃから解除する解除部材４１を設けたため、屋内側からワンタッチ操作で簡単に、ピン３１と係止部２６ｃとの係止状態を解除することができる。さらに、解除部材４１が屋内側に設けられているため、窓体１２が閉じる場合に、この窓体１２と枠体１１との間に手を挟まれる心配がなく安全である。
【００２１】
また、本実施形態では、窓体１２を閉じた場合に、アームユニット１５は、枠体１１と窓体１２との隙間に収容されるため、外部に露出しないことにより、縦すべりだし窓１０の美観の向上を図ることができる。また、本実施形態では、アーム２３の下端部２３ａを窓体１２の戸先側に屈曲させているため、ピン３１が係止部２６ｃに係止される際にしっかりとロックすることができる。
【００２２】
次に、別の実施形態について説明する。この別の実施形態では、規制部材５４の切替ユニット５６の構成が異なる点で上記実施形態と異なる。ここでは、上記実施形態と同一もしくは同一の機能を有する部品等には同符号を付し説明を省略する。
切替ユニット５６は、図８及び図９に示すように、縦框１２ｃの屋内側の面１２ｃ１に取り付けられた台座６２と、この台座６２に回動可能に配置された切替つまみ６３と、この切替つまみ６３の回動動作をスライド動作に変換するスライド機構６４と、このスライド機構６４のピン支持部６４Ａに支持される上記ピン３１と、このピンを受けるピン受け部６５とを備える。このピン受け部６５は、図８に示すように、縦框１２ｃの戸先側の面１２ｃ２にねじ６５で固定されている。また、台座６２には、図９に示すように、この台座６２を縦框１２ｃに取り付けるためのねじ孔６６が形成され、このねじ孔６６を隠すべく、当該台座６２にキャップ部材６７が取り付けられている。
【００２３】
この別の実施形態では、切替ユニット５６は、切替つまみ６３が水平方向に位置（図９）した場合には、図８に示すように、この切替ユニット５６のピン３１がアーム２３に形成された案内溝２６の係脱部２６ａ（図３Ｃ）から離脱することにより、窓体１２を全開に開放することが可能となる。一方、上記切替つまみ６３を反時計回りに回転させると、スライド機構６４を介してピン３１が突出して、上記アーム２３の係脱部２６ａに係合することにより、上述のように、この窓体１２が所定の開度以上に開くことを規制することができるようになっている。
【００２４】
更に、切替ユニット５６の台座６２には、図９に示すように、上記ピン３１がアーム２３の係脱部２６ａに係合した状態で、切替つまみ６３の操作を禁止する鍵６８が設けられている。このため、窓体１２が所定の開度以上に開くことを規制した状態において、この規制を誤って解除することが防止され安全性が向上する。
【００２５】
上述した実施形態は、あくまでも本発明の一態様にすぎず、本発明の範囲内で任意に変形可能である。例えば、上記実施形態では、枠体１１の縦枠１１ｃにアームユニット１５を取り付け、窓体１２の戸先側の縦框１２ｃに切替ユニット１６を取り付けた構成としているが、これに限るものではなく、アームユニット１５を窓体１２の縦框１２ｃに、切替ユニット１６を枠体１１の縦枠１１ｃに取り付ける構成としても良い。
【００２６】
また、上記実施形態では、アームユニット１５を縦枠１１ｃ、切替ユニット１６を縦框１２ｃに取り付けた構成としたが、これに限るものではなく、例えば、アームユニット１５を枠体１１の下枠１１ｂ、切替ユニット１６を窓体１２の下框１２ｂに配置する構成としてもよい。また、本実施形態では、規制部材１４を縦すべりだし窓１０に設けた構成について説明したが、これに限るものではなく、開き窓、突き出し窓、室内ドアなど開口を規制するものであれば、いずれにも適用することが可能である。
【図面の簡単な説明】
【００２７】
【図１】本発明の実施の形態である縦すべりだし窓の外観斜視図である。
【図２】縦枠と縦框との間に配置された規制部材を示した断面図である。
【図３】Ａはアームユニットの上面図、Ｂはアームユニットの側面図、Ｃはアームユニットの正面図である。
【図４】切替ユニットの正面図である。
【図５】Ａは解除部材の正面図、Ｂは解除部材の縦断面図である。
【図６】Ａは窓体が閉じた状態におけるアームとピンとの関係を示した図、Ｂは窓体を途中まで開いた状態におけるアームとピンとの関係を示した図、Ｃは窓体を所定開度で保持した状態におけるアームとピンとの関係を示した図である。
【図７】窓体の保持状態を解除する場合の動作を説明するための図である。
【図８】別の実施形態の規制部材を示した断面図である。
【図９】別の実施形態にかかる切替ユニットの正面図である。
【符号の説明】
【００２８】
１０  縦すべりだし窓（開口部装置）
１１  枠体
１１ｃ  縦枠
１２  窓体（開き戸）
１４、５４  規制部材
２３  アーム
２６  案内溝（ピン案内部）
２６ａ  係脱部
２６ｂ  スライド部
２６ｃ  係止部
３１  ピン
４１  解除部材
【図１】
0004758224.tif 000002
【図２】
0004758224.tif 000003
【図３】
0004758224.tif 000004
【図４】
0004758224.tif 000005
【図５】
0004758224.tif 000006
【図６】
0004758224.tif 000007
【図７】
0004758224.tif 000008
【図８】
0004758224.tif 000009
【図９】
0004758224.tif 000010